(57)【要約】【課題】画像の彩度および色相を調整可能に構成されるプロジェクタを使用する場合のユーザの利便性を向上させる技術を提供する。【解決手段】入力操作部と、入力操作部を介して、カラー画像の彩度および色相の少なくともいずれか一方を調整するための色調整処理を行う旨の色調整指示が入力された場合に、プロジェクタに入力されるカラー画像を表すカラー画像データに対して、色調整処理を施して出力することが可能な色調整部と、光源と、色調整部から入力されるカラー画像データに基づいて光源が発する光を変調させて、カラー画像を投写表示させる、投写表示部と、色調整部および投写表示部を制御する制御部とを備え、制御部は、入力操作部を介して色調整指示が入力された場合に、投写表示させるカラー画像として、赤、緑、青のうち、所定の一色のみを、投写表示部に投写表示させる、プロジェクタ。【選択図】図１
2010034659.tif 000002
【特許請求の範囲】
【請求項１】
プロジェクタであって、
入力操作部と、
前記入力操作部を介して、カラー画像の彩度および色相の少なくともいずれか一方を調整するための色調整処理を行う旨の色調整指示が入力された場合に、前記プロジェクタに入力されるカラー画像を表すカラー画像データに対して、前記色調整処理を施して出力することが可能な色調整部と、
光源と、
前記色調整部から入力されるカラー画像データに基づいて前記光源が発する光を変調させて、カラー画像を投写表示させる、投写表示部と、
前記色調整部および前記投写表示部を制御する制御部と、
を備え、
前記制御部は、
前記入力操作部を介して、前記色調整指示が入力された場合に、投写表示させる前記カラー画像として、赤、緑、青のうち、所定の一色のみを、前記投写表示部に投写表示させる、プロジェクタ。
【請求項２】
請求項１記載のプロジェクタであって、
前記制御部は、
前記入力操作部を介して、前記色調整指示が入力された場合に、前記色調整部を制御して、前記所定の一色の階調を表す色データのみを出力させることにより、投写表示させる前記カラー画像として、赤、緑、青のうち、所定の一色のみを、前記投写表示部に投写表示させる、プロジェクタ。
【請求項３】
請求項１記載のプロジェクタであって、
前記制御部は、
前記入力操作部を介して、前記色調整指示が入力された場合に、前記投写表示部を制御することにより、投写表示させる前記カラー画像として、赤、緑、青のうち、所定の一色のみを、前記投写表示部に投写表示させる、プロジェクタ。
【請求項４】
請求項１ないし３のいずれか１つに記載のプロジェクタであって、
前記所定の一色は、前記入力操作部を介して指定される、プロジェクタ。
【発明の詳細な説明】
【技術分野】
【０００１】
本発明は、画像の彩度および色相を調整可能に構成されるプロジェクタに関する。
【背景技術】
【０００２】
画像データに基づいて、光を変調して、被投写面に画像を表示させるプロジェクタにおいて、画像信号は、例えば、ＤＶＤ（Ｄｉｇｉｔａｌ Ｖｅｒｓａｔｉｌｅ Ｄｉｓｃ）プレーヤ、パーソナルコンピュータ等から入力される。このように入力元が異なると、同一の画像を被投写面に表示させる場合に、プロジェクタに入力される画像データが異なる場合がある。そのため、ユーザは、画像データの入力元（ＤＶＤプレーヤやパーソナルコンピュータ等）を変更する場合には、彩度（色の濃さ）、色相(色合い)等の色調整を行なう。
【０００３】
従来、プロジェクタにおいて、彩度、色相を調整する場合には、例えば、ＳＭＰＴＥ（Ｓｏｃｉｅｔｙ  ｏｆ  Ｍｏｔｉｏｎ−Ｐｉｃｔｕｒｅｓ  ａｎｄ  Ｔｅｌｅｖｉｓｉｏｎ  Ｅｎｇｉｎｅｅｒｓ：米国テレビ映画技術者協会）カラーバーや、フルフィールドカラーバーや、ＥＩＡ（Ｅｌｅｃｔｒｏｎｉｃ  Ｉｎｄｕｓｔｒｉｅｓ Ａｌｌｉａｎｃｅ：米国電子工業会）カラーバー等をプロジェクタに入力して、被投写面上に表示させて、ユーザが、目で見た感覚で調整している（例えば、特許文献１、２参照）。ユーザが、被投写面上の画像を見て、色調整を行なう場合に、例えば、光学カラーフィルターを介してＳＭＰＴＥカラーバーを見ると、所定の１色のみが見えるようになり、その１色の色が同一の濃さになるように調整することによって、色彩、色相を調整する方法がある。
【０００４】
【特許文献１】特開平６−６８３８号公報
【特許文献２】特開２００６−１０９３８０号公報
【特許文献３】特開平８−２０１９３９号公報
【発明の開示】
【発明が解決しようとする課題】
【０００５】
しかしながら、このような光学カラーフィルターを用意したり、光学カラーフィルターを介して画像を見ながら、色の濃さ、色合いを調整するのは手間がかかるという問題があった。
【０００６】
そこで、本発明は、上記の従来技術の課題に鑑みて、画像の彩度および色相を調整可能に構成されるプロジェクタを使用する場合のユーザの利便性を向上させる技術を提供することを目的とする。
【課題を解決するための手段】
【０００７】
本発明は、上述の課題の少なくとも一部を解決するためになされたものであり、以下の形態又は適用例として実現することが可能である。
【０００８】
［適用例１］  プロジェクタであって、
入力操作部と、
前記入力操作部を介して、カラー画像の彩度および色相の少なくともいずれか一方を調整するための色調整処理を行う旨の色調整指示が入力された場合に、前記プロジェクタに入力されるカラー画像を表すカラー画像データに対して、前記色調整処理を施して出力することが可能な色調整部と、
光源と、
前記色調整部から入力されるカラー画像データに基づいて前記光源が発する光を変調させて、カラー画像を投写表示させる、投写表示部と、
前記色調整部および前記投写表示部を制御する制御部と、
を備え、
前記制御部は、
前記入力操作部を介して、前記色調整指示が入力された場合に、投写表示させる前記カラー画像として、赤、緑、青のうち、所定の一色のみを、前記投写表示部に投写表示させる、プロジェクタ。
【０００９】
このプロジェクタによれば、ユーザが、入力操作部を介して、色調整指示を入力すると、被投写面にはＲ（赤）、Ｇ（緑）、Ｂ（青）のうち、所定の一色の色成分のみが表示される。例えば、例えば、ＳＭＰＴＥカラーバーや、フルフィールドカラーバーや、ＥＩＡカラーバー等の色調整用画像データをプロジェクタに入力して、色調整を行なう場合に、Ｂ（青）成分のみが表示されると、ユーザは、青色フィルタを用いなくとも、青色フィルタを介して色調整を行なう場合と同様に、青色の表示の濃淡を調整することにより、彩度や色相の調整を行なうことができる。したがって、画像の彩度および色相を調整する場合のユーザの利便性を向上させることができる。
【００１０】
［適用例２］  適用例１に記載のプロジェクタであって、
前記制御部は、
前記入力操作部を介して、前記色調整指示が入力された場合に、前記色調整部を制御して、前記所定の一色の階調を表す色データのみを出力させることにより、投写表示させる前記カラー画像として、赤、緑、青のうち、所定の一色のみを、前記投写表示部に投写表示させる、プロジェクタ。
【００１１】
［適用例３］  適用例１記載のプロジェクタであって、
前記制御部は、
前記入力操作部を介して、前記色調整指示が入力された場合に、前記投写表示部を制御することにより、投写表示させる前記カラー画像として、赤、緑、青のうち、所定の一色のみを、前記投写表示部に投写表示させる、プロジェクタ。
【００１２】
［適用例４］  適用例１ないし３のいずれか１つに記載のプロジェクタであって、
前記所定の一色は、前記入力操作部を介して指定される、プロジェクタ。
【００１３】
このようにすると、ユーザが、被投写面に表示される、所定の一色を指定することができる。
【発明を実施するための最良の形態】
【００１４】
以下、本発明を実施するための最良の形態を、実施例に基づいて、以下の順序で説明する。
Ａ．実施例：
Ａ−１．実施例の構成：
Ａ−２．色調整：
Ａ−２−１．色の濃さの調整：
Ａ−２−２．色合いの調整：
Ａ−３．実施例の効果
Ｂ．変形例：
【００１５】
Ａ．実施例：
Ａ−１．実施例の構成
図１は、本発明の一実施例としてのプロジェクタ１００の構成を示すブロック図である。プロジェクタ１００は、画像を表す画像光を投写して、図示せざるスクリーン上に画像を表示させる。プロジェクタ１００は、ＣＰＵ１０と、画像処理部２０と、画像色成分制御部３０と、メモリ４０と、外部信号入力部５０と、リモコン制御部７０と、光源ランプ８２と、液晶パネル８４と、投写光学系８６と、を備えている。図示するように、ＣＰＵ１０と、画像処理部２０と、画像色成分制御部３０と、メモリ４０と、外部信号入力部５０と、リモコン制御部７０とは、バス９８を介して互いに接続されている。本実施例におけるプロジェクタ１００が、請求項におけるプロジェクタに相当する。
【００１６】
ＣＰＵ１０は、メモリ４０に記憶された制御プログラムを読み出して実行することにより、プロジェクタ１００内の各部の動作を制御する。また、後述するように、リモコン制御部７０を通じて受け取る、ユーザからの指示に応じて、画像処理部２０や画像色成分制御部３０や液晶パネル８４を制御する。本実施例におけるＣＰＵ１０が、請求項における制御部に相当する。
【００１７】
画像処理部２０は、外部信号入力部５０から供給される画像データに対して、画像処理を施して、処理済み画像データ（ＲＧＢ形式）を、画像色成分制御部３０に供給する。また、リモコン制御部７０を通じて、ユーザから色調整処理の指示が入力された場合には、外部信号入力部５０から入力される、ＳＭＰＴＥカラーバー等の色調整用画像データに対して、リモコン制御部７０を通じて受け取る、ユーザからの指示に応じて、彩度および色相の少なくともいずれか一方を調整する色調整処理を施して、色調整処理後の色調整用画像データを、画像色成分制御部３０に出力する。
【００１８】
画像処理部２０において、色調整処理を行う場合には、ＹＵＶデータ（Ｙ：輝度データ、ＵＶ（Ｃｂ，Ｃｒ）：色差データ）に対して、全ての色域について色の濃さおよび色合いの調整を行なった後、ＲＧＢデータに変換して、画像色成分制御部３０に出力する。
【００１９】
画像色成分制御部３０は、画像処理部２０から入力された画像データ（ＲＧＢ形式）を、液晶パネル８４に出力する。色調整用画像データが入力され、リモコン７２を介して、ユーザから色調整の指示がなされた場合には、画像色成分制御部３０は、Ｒ，Ｇ，Ｂデータのうち、Ｒデータと、Ｇデータの値を“０”として、色調整用画像データを、液晶パネル８４に出力する。このようにすると、スクリーン（図示しない）には、色調整用画像の青色成分のみが表示される。
【００２０】
ユーザから色調整の指示がなされない場合には、画像処理済のＲ，Ｇ，Ｂデータの全てのデータ（例えば、映画のＤＶＤから読み出した画像データに画像処理を施したＲ，Ｇ，Ｂデータ）を、そのまま、液晶パネル８４に出力する。本実施例における画像処理部２０および画像色成分制御部３０が、請求項における色調整部に相当する。
【００２１】
外部信号入力部５０は、例えば、外部接続用コネクタ(図示しない)に接続されたＰＣ（パーソナルコンピュータ）、ＤＶＤプレーヤ、外部メモリ等、外部から供給される画像音声データに基づいて、画像データおよび音声データを生成し、画像処理部２０や、図示せざる音声処理部に供給する。
【００２２】
リモコン制御部７０は、リモコン７２を通じたユーザからの指示を受信し、バス９８を介してその指示をＣＰＵ１０に伝える。なお、本実施例では、プロジェクタ１００は、ユーザからの指示を、リモコン７２およびリモコン制御部７０を通じて受け取るものとしているが、ユーザからの指示を例えば操作パネルなどの他の構成を通じて受け取るものとすることも可能である。本実施例におけるリモコン７２が請求項における入力操作部に相当する。
【００２３】
光源ランプ８２は、液晶パネル８４に光を照射するものであって、電源部（図示しない）で生成された光源駆動電力により点灯動作を行なう。本実施例における光源ランプ８２が、請求項における光源に相当する。
【００２４】
液晶パネル８４は、透過型の液晶パネルと液晶パネル駆動部（図示しない）を備え、画像色成分制御部３０から与えられる画像データに基づいて、光源ランプ８２から射出された光を変調し、画像を表す光を射出する。
【００２５】
投写光学系８６は、投写レンズを備え、液晶パネル８４から射出された光をスクリーン（図示しない）上に投写し、この結果、スクリーン上に画像が表示される。
【００２６】
本実施例における液晶パネル８４および投写光学系８６が、請求項における投写表示部に相当する。
【００２７】
Ａ−２．色調整：
以下、本実施例のプロジェクタ１００における、ＳＭＰＴＥカラーバーを用いた色調整の方法について説明する。図２は、ＳＭＰＴＥカラーバーを示す説明図である。図２（ａ）は、ＳＭＰＴＥカラーバー２００を示し、（ｂ）は、（ａ）のＳＭＰＴＥカラーバー２００の青色成分（Ｒ，Ｇ，ＢデータのうちＢデータに基づく画像）のみを表示させた場合を示している。
【００２８】
図２（ａ）に示すように、ＳＭＰＴＥカラーバー２００は、上段、中段、下段の３段に分かれている。上段は、図面左から、輝度７５％の白（以下、「７５％白」と省略する。）、黄色、シアン、緑、マゼンタ、赤、青の帯が等幅で並んでいる。中段は、上段の奇数番目の帯が左右対称に並んでいる。下段の左から２番目の白は、輝度１００％の白である。
【００２９】
図２（ｂ）に示すように、ＳＭＰＴＥカラーバー２００の青色成分（Ｂデータに基づく画像）のみを表示させた場合には、青色成分が含まれる色（白、シアン、マゼンタ、青）は、青色に表示され、青色成分が含まれない色（黄、緑、赤）は、黒色に表示される。青色成分に着目した場合に、図２（ａ）に示す、７５％白と青、シアンとマゼンタがそれぞれ同一のレベルであるため、これらの部分で、青色成分のレベルを等しく保てば、カラー画像の色相と彩度を、適正に調整することができる。
【００３０】
本実施例では、図２（ａ）に示すように、７５％白の領域２０２と青の領域２０４、および７５％白の領域２０８と青の領域２０６を用いて、「色の濃さ」すなわち、彩度を調整し、シアンの領域２１０とマゼンタの領域２１２、およびシアンの領域２１６とマゼンタの領域２１４を用いて、「色合い」すなわち、色相を調整する。
【００３１】
図３は、色相（色合い）、色の濃さ（彩度）、輝度の関係を概念的に表した図である。例えば、白の輝度を下げていくと灰色になり、輝度が”０”になると黒になる。図３では、白、灰色、黒というような無彩色の明るさの変化を縦軸にとり、また、白の位置に円板をおき、その円周上に、色の波長の順序で、赤、橙、黄、緑、シアン、青、紫と並べる。このようにすると、色相（色合い）は、白を中心とした環で表され、色の濃さ（彩度）は、白を中心とした放射線の長さで示すことができる。
【００３２】
本実施例では、ＹＵＶデータに対して、全ての色域について色の濃さおよび色合いの調整を行なう。図３に示すように、色の濃さの調整は、環の直径を変化させるイメージであり、色の濃さを調整すると、全ての色の濃さが同じ割合で調整される。色合い（色相）の調整は、白を中心として、環を回転させるイメージであり、色相を調整すると、全ての色の色相が変化する。
【００３３】
Ａ−２−１．色の濃さの調整：
本実施例のプロジェクタ１００における色の濃さ（彩度）の調整について、図４〜図６に基づいて説明する。本実施例では、色調整用画像データとして、ＳＭＰＴＥカラーバー２００（図２）を表す画像データを用いる。ＳＭＰＴＥカラーバー２００を表す画像データが記録された色調整用のＤＶＤを、プロジェクタ１００に接続されたＤＶＤプレーヤ（図示しない）で再生すると、外部信号入力部５０を介して、ＹＵＶ形式のＳＭＰＴＥカラーバー２００の画像データが、画像処理部２０に供給される。本実施例において、ＤＶＤプレーヤから供給される画像データは、ＹＵＶデータであるため、そのままＹＵＶ形式で、画像処理部２０にＳＭＰＴＥカラーバー２００の画像データが供給されるが、プロジェクタ１００に入力される画像データが、ＲＧＢデータである場合には、外部信号入力部５０において、ＹＵＶ形式に変換して、画像処理部２０に供給する。
【００３４】
本実施例において、ＹＵＶデータとＲＧＢデータとの変換は、ＩＴＵ−Ｒ  ＢＴ．６０１の規格に定められる変換式に基づいて行なわれる。ＲＧＢデータからＹＵＶデータへの変換は、以下の（式１．１）〜（式１．３）に基づいて行なわれる。
【００３５】
輝度データＹ＝０．２５７Ｒ＋０．５０４Ｇ＋０．０９８Ｂ＋１６・・・（式１．１）
色差データＣｂ＝−０．１４８Ｒ−０．２９１Ｇ＋０．４３９Ｂ＋１２８・・・（式１．２）
色差データＣｒ＝０．４３９Ｒ−０．３６８Ｇ−０．０７１Ｂ＋１２８・・・（式１．３）
【００３６】
一方、ＹＵＶデータからＲＧＢデータへの変換は、以下の（式２．１）〜（式２．３）に基づいて行なわれる。
【００３７】
Ｒ＝１．１６４（Ｙ−１６）＋１．５９６（Ｃｒ−１２８）・・・（式２．１）
Ｇ＝１．１６４（Ｙ−１６）−０．３９１（Ｃｂ−１２８）−０．８１３（Ｃｒ−１２８）・・・（式２．１）
Ｂ＝１．１６４（Ｙ−１６）＋２．０１８（Ｃｂ−１２８）・・・（式２．３）
【００３８】
色の濃さの調整を行なう場合には、ＹＵＶデータのうち、色差データＣｂ，Ｃｒ（ＵＶ）のみを調整し、輝度データＹは調整しない。色の濃さの調整は、以下の（式３．１）、（式３．２）に従って行なう。調整後の色差データＣｂ，Ｃｒを、Ｃｂ’，Ｃｒ’とする。
【００３９】
Ｃｂ’＝ＳＡＴＰ×Ｃｂ・・・（式３．１）
Ｃｒ’＝ＳＡＴＰ×Ｃｒ・・・（式３．２）
【００４０】
ここで、ＳＡＴＰは、色の濃さ調整のパラメータであり、以下の（式４）で定められる。
ＳＡＴＰ＝１−（０．０１×ｎ）・・・（式４）
本実施例では、ｎ＝−３２、−３１、−３０、・・・・、３０、３１、３２、すなわち、−３２〜３２の整数値である。つまり、色の濃さを６５段階で調整することができる。以下、色の濃さの調整の段階ｎを、ステップともいう。なお、ステップｎの範囲、およびその間隔は、本実施例に限定されない。
【００４１】
図４は、ＤＶＤプレーヤから入力されるＳＭＰＴＥカラーバーの画像データについて、色の濃さの調整を行なった結果を示す表である。図５は、色の濃さの調整を行なった後の、ＲＧＢデータのうち、Ｂデータを示すグラフである。図６は、色の濃さの調整を示す棒グラフである。
【００４２】
上記したように、色の濃さの調整は、図２（ａ）に示す、７５％白の領域２０２と青の領域２０４、および７５％白の領域２０８と青の領域２０６の青色成分のレベルが等しくなるように調整する。すなわち、図２（ｂ）に示す領域２０２と領域２０４、および領域２０６と領域２０８（「色の濃さ」の調整で使用する領域と示される部分）において、隣接する領域の境目がなくなるように（青色の濃さが等しくなるように）、各領域の濃さを調整する。
【００４３】
図４において、入力されるＳＭＰＴＥカラーバー２００の画像データの各値は、ステップｎ＝０の欄に記載されている。図示するように、７５％白の入力値（Ｙ，Ｃｂ，Ｃｒ）＝（１７７，１２８，１２８）である。画像処理部２０は、上記した変換式（式２．１）〜（式２．３）を用いて、入力されたＹＵＶデータをＲＧＢデータに変換する。そうすると、７５％白の入力値（Ｒ，Ｇ，Ｂ）＝（１８７，１８７，１８７）となる。一方、青の入力値（Ｙ，Ｃｂ，Ｃｒ）＝（３４，２０７，１１５）である。画像処理部２０において、入力されたＹＵＶデータをＲＧＢデータに変換すると、青の入力値（Ｒ，Ｇ，Ｂ）＝（０，１，１８０）となる。
【００４４】
図６（ａ１）に、７５％白のＹ，Ｃｂ，Ｃｒ値を、（ａ２）に青のＹ，Ｃｂ，Ｃｒ値を示す。また、（ｂ１）に７５％白のＲ，Ｇ，Ｂ値を示し、（ｂ２）に青のＲ，Ｇ，Ｂ値を示す。図６（ｂ１）、（ｂ２）に示す、青色成分（Ｂデータ）を比べると、その差は、“７”である。
【００４５】
画像処理部２０は、ＳＭＰＴＥカラーバー２００のＲＧＢデータを、画像色成分制御部３０に出力する。そうすると、スクリーン（図示しない）には、図２（ａ）に示す、ＳＭＰＴＥカラーバー２００の画像が表示される。ユーザが、リモコン７２を操作して、色の濃さの調整を指示すると、画像色成分制御部３０は、画像処理部２０から入力されるＳＭＰＴＥカラーバー２００のＲＧＢデータのうち、Ｒデータの値とＧデータの値を“０”にして、液晶パネル８４に出力する。したがって、スクリーンには、図２（ｂ）に示すように、青色と黒色の帯のカラーバーが表示される。
【００４６】
上記したように、ＳＭＰＴＥカラーバー２００の７５％白のＢデータの値は、“１８７”であり、青のＢデータの値は“１８０”である。そのため、ユーザが、スクリーンに投写される領域２０２と領域２０４、および領域２０８と領域２０６（図２（ｂ））を見ると、青色の濃さが異なって見える。
【００４７】
そこで、ユーザは、スクリーンに投写される画像を見ながら、リモコン７２を操作して、ステップの値を変更して、図２（ｂ）に示す領域２０２と領域２０４、および領域２０８と領域２０６の青色の濃さが等しくなるように、色の濃さを調整する。図５に示すように、ステップを、０から＋に変化させていくと、徐々に、７５％白の青色成分（Ｂデータ）の値と、青の青色成分（Ｂデータ）の値との差が縮まり、＋５のところで、ほぼ一致する。そして、＋５を超えると、また、その差が広がっていく。ユーザがスクリーンに表示される画像を見ながら、ステップの値を変更すると、スクリーンに表示される、領域２０２と領域２０４、および領域２０８と領域２０６の青色の濃さが変化する。
【００４８】
具体的には、ユーザが、リモコン７２を介して、ステップｎ＝＋５の指示を入力すると、画像処理部２０は、７５％白の入力値（Ｙ，Ｃｂ，Ｃｒ）＝（１７７，１２８，１２８）、青の入力値（Ｙ，Ｃｂ，Ｃｒ）＝（３４，２０７，１１５）に対して、（式３．１）、（式３．２）を用いて、色の濃さの調整を行い、上記した変換式（式２．１）〜（式２．３）を用いて、ＲＧＢデータに変換して、画像色成分制御部３０に出力する。色の濃さの調整（ステップｎ＝＋５）後の７５％白（Ｙ，Ｃｂ，Ｃｒ）＝（１７７，１３４，１３４）、青（Ｙ，Ｃｂ，Ｃｒ）＝（３４，２１７，１２１）である。また、色の濃さの調整（ステップｎ＝＋５）後の７５％白（Ｒ，Ｇ，Ｂ）＝（１９８，１８０，２００）、青（Ｒ，Ｇ，Ｂ）＝（９，０，２０１）である。
【００４９】
図６（ｃ１）に、色の濃さの調整（ステップｎ＝＋５）を行なった後の、７５％白のＹ，Ｃｂ，Ｃｒ値を、（ｃ２）に青のＹ，Ｃｂ，Ｃｒ値を示す。また、（ｄ１）に、色の濃さの調整（ステップｎ＝＋５）を行なった後の、７５％白のＲ，Ｇ，Ｂ値を示し、（ｄ２）に青のＲ，Ｇ，Ｂ値を示す。図６（ｄ１）、（ｄ２）に示す、青色成分（Ｂデータ）の値を比べると、その差は、“１”であり、ほぼ、同じである。
【００５０】
画像色成分制御部３０は、画像処理部２０から入力されるＳＭＰＴＥカラーバー２００のＲＧＢデータのうち、Ｒデータの値とＧデータの値を“０”にして、液晶パネル８４に出力する。スクリーンには、図２（ｂ）に示すように、青色と黒色の帯のカラーバーが表示される。ユーザは、スクリーンに表示される画像を見ながら、ステップの値を変更すると、ステップｎ＝＋５付近で、スクリーンに表示される、領域２０２と領域２０４、および領域２０８と領域２０６（図２（ｂ））の青色の濃さが等しくなる。
【００５１】
図６（ｃ１）、（ｃ２）を見ると、７５％白、青共に、色差の値が大きくなっており、色が濃くなるように調整されていることがわかる。このように、ＳＭＰＴＥカラーバー２００の７５％白の領域２０２と青の領域２０４、および７５％白の領域２０８と青の領域２０６の青色成分の濃さを、スクリーン上（図２（ｂ））で確認しながら、濃さが等しくなるようにステップ値を調節して色の濃さを調整すると、スクリーン上に投写表示される画像の色の濃さを適正に調整することができる。
【００５２】
Ａ−２−２．色合いの調整：
次に、本実施例のプロジェクタ１００における色合い（色相）の調整について、図７〜図１０に基づいて説明する。色合いの調整も、上記した色の濃さの調整と同様に、色調整用画像データとして、ＳＭＰＴＥカラーバー２００（図２）を表す画像データを用いて行なう。但し、上記したように、色合いの調整は、シアンの領域２１０とマゼンタの領域２１２、およびシアンの領域２１６とマゼンタの領域２１４（図２）を用いて行なう。
【００５３】
図７は、色合いの調整を概念的に示す図である。図７では、Ｂ−Ｙが０°、Ｒ−Ｙが９０°として、各色の位置を示している。色合いを調整する場合には、リモコン７２を介して受信されるユーザの指示にしたがって、各色の位置を回転する。図７では、実線で示された位相に対応する各色に対して、色相をθ回転させた場合（色合い調整を行なった場合）を、破線で示している。例えば、マゼンタＭの色相をθ回転させた場合を、マゼンタＭ’として図示している。同様に、レッドＲの色合い調整後をレッドＲ’、イエローＹの色合い調整後をイエローＹ’、グリーンＧの色合い調整後をグリーンＧ’、シアンＢの色合い調整後をシアンＣ’、ブルーＢの色合い調整後をブルーＢ’として、図示している。
【００５４】
色合いの調整を行なう場合には、色の濃さの調整の場合と同様に、ＹＵＶデータのうち、色差データＣｂ，Ｃｒ（ＵＶ）のみを調整し、輝度データＹは調整しない。色合いの調整は、以下の（式５．１）、（式５．２）に従って行なう。調整後の色差データＣｂ，Ｃｒを、Ｃｂ’，Ｃｒ’とする。
【００５５】
Ｃｂ’＝Ｃｏｓθ×Ｃｂ−Ｓｉｎθ×Ｃｒ・・・（式５．１）
Ｃｒ’＝Ｓｉｎθ×Ｃｂ＋Ｃｏｓθ×Ｃｒ・・・（式３．２）
【００５６】
本実施例において、色相の回転角度θは、−１３．０°から＋１３．０°まで、０．４°刻みで変更可能に構成されている。なお、回転角度θの範囲、およびその間隔は、本実施例に限定されない。
【００５７】
図８は、ＤＶＤプレーヤから入力されるＳＭＰＴＥカラーバー２００の画像データについて、色合いの調整を行なった結果を示す表である。図９は、色合いの調整を行なった後の、ＲＧＢデータのうち、Ｂデータを示すグラフである。図１０は、色合いの調整を示す棒グラフである。
【００５８】
上記したように、色合いの調整は、図２（ａ）に示す、シアンの領域２１０とマゼンタの領域２１２、およびシアンの領域２１６とマゼンタの領域２１４の青色成分のレベルが等しくなるように調整する。すなわち、図２（ｂ）に示す領域２１０と領域２１２、および領域２１４と領域２１６（「色合い」の調整で使用する領域と示される部分）において、隣接する領域の境目がなくなるように（青色の濃さが等しくなるように）、各領域の濃さを調整する。
【００５９】
図８において、入力されるＳＭＰＴＥカラーバー２００の画像データの各値は、角度θ＝０の欄に記載されている。図示するように、シアンの入力値（Ｙ，Ｃｂ，Ｃｒ）＝（１６９，１６５，１９）である。画像処理部２０は、上記した変換式（式２．１）〜（式２．３）を用いて、入力されたＹＵＶデータをＲＧＢデータに変換する。そうすると、シアンの入力値（Ｒ，Ｇ，Ｂ）＝（５，２５３，２５４）となる。一方、マゼンタの入力値（Ｙ，Ｃｂ，Ｃｒ）＝（１０６，１９８，２２５）である。画像処理部２０において、ＲＧＢデータに変換すると、マゼンタの入力値（Ｒ，Ｇ，Ｂ）＝（２５５，０，２４６）となる。
【００６０】
図１０（ａ１）に、シアンのＹ，Ｃｂ，Ｃｒ値を、（ａ２）にマゼンタのＹ，Ｃｂ，Ｃｒ値を示す。また、（ｂ１）にシアンのＲ，Ｇ，Ｂ値を示し、（ｂ２）にマゼンタのＲ，Ｇ，Ｂ値を示す。図６（ｂ１）、（ｂ２）に示す、青色成分（Ｂデータ）の値を比べると、その差は、“８”である。
【００６１】
画像処理部２０は、ＳＭＰＴＥカラーバー２００のＲＧＢデータを、画像色成分制御部３０に出力する。そうすると、スクリーン（図示しない）には、図２（ａ）に示す、ＳＭＰＴＥカラーバー２００の画像が表示される。ユーザが、リモコン７２を操作して、色合いの調整を指示すると、画像色成分制御部３０は、画像処理部２０から入力されるＳＭＰＴＥカラーバー２００のＲＧＢデータのうち、Ｒデータの値とＧデータの値を“０”にして、液晶パネル８４に出力する。したがって、スクリーンには、図２（ｂ）に示すように、青色と黒色の帯のカラーバーが表示される。
【００６２】
上記したように、ＳＭＰＴＥカラーバー２００のシアンのＢデータの値は、“２５４”であり、マゼンタのＢデータの値は“２４６”である。そのため、ユーザが、スクリーンに投写される領域２１０と領域２１２、および領域２１４と領域２１６（図２（ｂ））を見ると、青色の濃さが異なって見える。
【００６３】
そこで、ユーザは、スクリーンに投写される画像を見ながら、リモコン７２を操作して、角度θの値を変更して、図２（ｂ）に示す領域２１０と領域２１２、および領域２１４と領域２１６の青色の濃さが等しくなるように、色合いを調整する。図９に示すように、角度θを、０からマイナスに変化させていくと、徐々に、シアンの青色成分（Ｂデータ）の値と、マゼンタの青色成分（Ｂデータ）の値との差が縮まり、−１．４°のところで、ほぼ一致する。一方、ユーザが、角度θを、０からプラスに変化させていくと、徐々に、シアンの青色成分（Ｂデータ）と、マゼンタの青色成分（Ｂデータ）との差が広がっていく。ユーザがスクリーンに表示される画像を見ながら、角度θの値を変更すると、スクリーンに表示される、領域２１０と領域２１２、および領域２１４と領域２１６の青色の濃さが変化する。
【００６４】
具体的には、ユーザが、リモコン７２を介して、角度θ＝−１．４°の指示を入力すると、画像処理部２０は、シアンの入力値（Ｙ，Ｃｂ，Ｃｒ）＝（１６９，１６５，１９）、マゼンタの入力値（Ｙ，Ｃｂ，Ｃｒ）＝（１０６，１９８，２２５）に対して、（式５．１）、（式５．２）を用いて、色合いの調整を行い、上記した変換式（式２．１）〜（式２．３）を用いて、ＲＧＢデータに変換して、画像色成分制御部３０に出力する。色合い調整（角度θ＝−１．４°）後のシアン（Ｙ，Ｃｂ，Ｃｒ）＝（１６９，１６６，１５）、マゼンタ（Ｙ，Ｃｂ，Ｃｒ）＝（１０６，２０４，２２０）である。また、色合い調整（角度θ＝−１．４°）後のシアン（Ｒ，Ｇ，Ｂ）＝（０，２５５，２５５）、マゼンタ（Ｒ，Ｇ，Ｂ）＝（２５２，０，２５５）である。
【００６５】
図１０（ｃ１）に、色合いの調整（角度θ＝−１．４°）を行なった後の、シアンのＹ，Ｃｂ，Ｃｒ値を、（ｃ２）にマゼンタのＹ，Ｃｂ，Ｃｒ値を示す。また、（ｄ１）に、色合いの調整（角度θ＝−１．４°）を行なった後の、シアンのＲ，Ｇ，Ｂデータの値を示し、（ｄ２）にマゼンタのＲ，Ｇ，Ｂデータの値を示す。図１０（ｄ１）、（ｄ２）に示す、青色成分（Ｂデータ）の値を比べると、その差は、“１”であり、ほぼ、同じである。
【００６６】
画像色成分制御部３０は、画像処理部２０から入力されるＳＭＰＴＥカラーバー２００のＲＧＢデータのうち、Ｒデータの値とＧデータの値を“０”にして、液晶パネル８４に出力する。スクリーンには、図２（ｂ）に示すように、青色と黒色の帯のカラーバーが表示される。ユーザは、スクリーンに表示される画像を見ながら、角度θの値を変更すると、角度θ＝−１．４°付近で、スクリーンに表示される、領域２１０と領域２１２、および領域２１４と領域２１６の青色の濃さが等しくなる。
【００６７】
このように、ＳＭＰＴＥカラーバー２００のシアンの領域２１０とマゼンタの領域２１２、およびシアンの領域２１６とマゼンタの領域２１４の青色成分の濃さを、スクリーン上（図２（ｂ））で確認しながら、濃さが等しくなるように角度θを調節して色合いを調節すると、入力信号の色合いをスクリーン上に再現できる。
【００６８】
Ａ−３．実施例の効果：
本実施例のプロジェクタ１００によれば、ユーザが色の濃さの調整や、色合いの調整の指示をした場合には、画像色成分制御部３０は、画像を表すＲＧＢデータのうち、Ｒデータの値とＧデータの値を“０”にして、液晶パネル８４に出力するため、スクリーンには、青色の濃淡と黒（Ｂデータ＝０の場合）の帯のカラーバーが表示される（図２（ｂ））  。したがって、ユーザは、色の濃さを調整する場合には、７５％白の領域２０２と青の領域２０４、および７５％白の領域２０８と青の領域２０６を用いて、スクリーンに表示される青色の濃さが等しくなるように、色の濃さを調整すれば、青色フィルターを用いることなく、スクリーン上に投写表示される画像の色の濃さを適正に調整することができる。
【００６９】
同様に、ユーザは、色合いを調整する場合には、シアンの領域２１０とマゼンタの領域２１２、およびシアンの領域２１６とマゼンタの領域２１４を用いて、スクリーンに表示される青色の濃さが等しくなるように、色合いを調整すれば、青色フィルターを用いることなく、スクリーン上に投写表示される画像の色合いを適正に調整することができる。
【００７０】
したがって、本実施例のプロジェクタ１００によれば、画像の彩度および色相を調整をする場合に、ユーザが、光学カラーフィルターを用意したり、光学カラーフィルターを介して画像を見ながら色調整をするという手間を省略することができ、ユーザの利便性が向上する。
【００７１】
Ｂ．変形例：
なお、本発明は上記した実施例に限られるものではなく、その要旨を逸脱しない範囲において種々の態様にて実施することが可能である。
【００７２】
（１）上記した実施例において、プロジェクタ１００は、透過型の液晶パネル８４を用いて、光源ランプ８２からの光を変調しているが、透過型の液晶パネル８４に限定されず、例えば、デジタル・マイクロミラー・デバイス（ＤＭＤ（登録商標）：Ｄｉｇｉｔａｌ  Ｍｉｃｒｏ−Ｍｉｒｒｏｒ  Ｄｅｖｉｃｅ）や、反射型の液晶パネル（ＬＣＯＳ（登録商標）：Ｌｉｑｕｉｄ  Ｃｒｙｓｔａｌ  ｏｎ  Ｓｉｌｉｃｏｎ）等を用いて、光源ランプからの光を変調する構成にしてもよい。このようにしても、上記した実施例と同様の効果を得ることができる。
【００７３】
（２）上記した実施例において、色調整用画像として、ＳＭＰＴＥカラーバーを用いているが、フルフィールドカラーバーや、ＥＩＡカラーバー等、種々の色調整用画像を用いることができる。このようにしても、上記した実施例と同様の効果を得ることができる。
【００７４】
（３）上記した実施例において、ＳＭＰＴＥカラーバーの画像データは、ＤＶＤプレーヤ（図示しない）から入力されているが、色調整用画像は、例えば、テレビの放送信号でもよい。このようにしても、上記した実施例と同様の効果を得ることができる。
【００７５】
（４）上記した実施例において、画像処理部２０において、ＹＵＶデータからＲＧＢデータへの変換を行なっているが、画像色成分制御部３０において、ＹＵＶデータからＲＧＢデータへの変換を行う構成にしてもよい。このようにしても、上記した実施例と同様の効果を得ることができる。
【００７６】
（５）上記した実施例において、プロジェクタ１００は、画像調整用画像（ＳＭＰＴＥカラーバー２００）の青色成分のみを、スクリーン上に投写するように構成されているが、例えば、赤色成分のみを投写させたり、緑色成分のみを投写させる構成にしてもよい。また、上記した実施例では、表示される色成分は、予め定められているが、リモコン７２を介して、ユーザによって指定される構成にしてもよい。
【００７７】
（６）上記した実施例において、画像調整用画像（ＳＭＰＴＥカラーバー２００）の青色成分のみを、スクリーン上に投写するために、画像色成分制御部３０において、画像を表すＲＧＢデータのうち、Ｒデータの値とＧデータの値を“０”にして、液晶パネル８４に出力しているが、このような方法に限定されず、画像データは変更せず、画像を投写表示させるための投写表示部を制御することによって、青色成分のみを、スクリーン上に投写させるようにしてもよい。例えば、ユーザから、色調整（色の濃さ、色合い）の指示が入力された場合に、ＣＰＵ１０が、液晶パネル８４を駆動する液晶ドライバ（図示しない）を制御して、液晶パネル８４に入力される画像データに関わらず、ＲとＧのフィルタを透過する光を遮断する構成にしてもよい。このようにしても、上記した実施例と同様の効果を得ることができる。
【図面の簡単な説明】
【００７８】
【図１】本発明の一実施例としてのプロジェクタ１００の構成を示すブロック図である。
【図２】ＳＭＰＴＥカラーバーを示す説明図である。
【図３】色相、色の濃さ、輝度の関係を概念的に表した図である。
【図４】ＳＭＰＴＥカラーバーの画像データについて色の濃さの調整を行なった結果を示す表である。
【図５】色の濃さの調整を行なった後のＲＧＢデータのうちＢデータを示すグラフである。
【図６】色の濃さの調整を示す棒グラフである。
【図７】色合いの調整を概念的に示す図である。
【図８】ＳＭＰＴＥカラーバーの画像データについて色合いの調整を行なった結果を示す表である。
【図９】色合いの調整を行なった後のＲＧＢデータのうちＢデータを示すグラフである。
【図１０】色合いの調整を示す棒グラフである。
【符号の説明】
【００７９】
１０…ＣＰＵ
２０…画像処理部
３０…画像色成分制御部
４０…メモリ
５０…外部信号入力部
７０…リモコン制御部
７２…リモコン
８２…光源ランプ
８４…液晶パネル
８６…投写光学系
９８…バス
１００…プロジェクタ
【図１】
2010034659.tif 000003
【図２】
2010034659.tif 000004
【図３】
2010034659.tif 000005
【図４】
2010034659.tif 000006
【図５】
2010034659.tif 000007
【図６】
2010034659.tif 000008
【図７】
2010034659.tif 000009
【図８】
2010034659.tif 000010
【図９】
2010034659.tif 000011
【図１０】
2010034659.tif 000012